(57)【特許請求の範囲】
【請求項１】
ケーキや菓子等の食品に差し込んで使用される差札を除菌処理する装置であって、上記差札を収容取出可能な除菌処理部が配設され、該除菌処理部の側方位置に除菌処理部内の差札を除菌処理する除菌ランプが配設され、該除菌処理部内に圧縮空気を噴射して除菌処理部内の複数個の差札を攪拌可能な空気攪拌機構が配設されてなることを特徴とする食品用差札除菌装置。
【請求項２】
上記除菌処理部は、上記除菌ランプからの照射光が透過可能な処理筒体、該処理筒体の上開口部に配設された上部体、及び、該処理筒体の下開口部に配設された下部体からなり、該処理筒体、上部体及び下部体により除菌処理室が形成されてなることを特徴とする請求項１記載の食品用差札除菌装置。
【請求項３】
上記空気攪拌機構として、上記除菌処理部の下部体に該除菌処理部内に圧縮空気を渦巻状に上方に向けて噴射可能な複数個の噴出穴部が形成され、上記上部体に該除菌処理部内の圧縮空気を吸引排出可能な吸引部が形成されてなることを特徴とする請求項１又は２記載の食品用差札除菌装置。
【請求項４】
上記空気攪拌機構として、上記上部体に上記除菌処理部内に圧縮空気を下方に向けて噴射可能な噴射ノズル部が配設されてなることを特徴とする請求項１〜３のいずれか１項に記載の食品用差札除菌装置。
【請求項５】
上記処理筒体の上開口部を開閉可能な供給蓋体を配設してなることを特徴とする請求項２〜４のいずれか１項に記載の食品用差札除菌装置。
【請求項６】
上記処理筒体の下開口部を開閉可能な取出蓋体を配設してなることを特徴とする請求項２〜５のいずれか１項に記載の食品用差札除菌装置。
【発明の詳細な説明】
【技術分野】
【０００１】
本発明は、例えばケーキや菓子等の食品に用いられる差札を除菌処理する食品用差札除菌装置に関するものである。
【背景技術】
【０００２】
従来、図８、図９の如く、ケーキや菓子等の食品Ｗの表面に差札Ｆを直接差し込み、食品Ｗの装飾的価値や宣伝的価値を高め、又、他社製品との差別化を高めるため、衛生面及び安全面を考慮し、差札Ｆを除菌処理するようにしている。
【先行技術文献】
【特許文献】
【０００３】
【特許文献１】実用新案登録第３１２８７１２号公報
【発明の概要】
【発明が解決しようとする課題】
【０００４】
しかしながら従来の食品用差札除菌装置にあっては、複数個の差札を短時間で効率的に除菌処理することができないことがあるという不都合を有している。
【課題を解決するための手段】
【０００５】
本発明はこれらの不都合を解決することを目的とするもので、本発明のうちで、請求項１記載の発明は、ケーキや菓子等の食品に差し込んで使用される差札を除菌処理する装置であって、上記差札を収容取出可能な除菌処理部が配設され、該除菌処理部の側方位置に除菌処理部内の差札を除菌処理する除菌ランプが配設され、該除菌処理部内に圧縮空気を噴射して除菌処理部内の複数個の差札を攪拌可能な空気攪拌機構が配設されてなることを特徴とする食品用差札除菌装置にある。
【０００６】
又、請求項２記載の発明は、上記除菌処理部は、上記除菌ランプからの照射光が透過可能な処理筒体、該処理筒体の上開口部に配設された上部体、及び、該処理筒体の下開口部に配設された下部体からなり、該処理筒体、上部体及び下部体により除菌処理室が形成されてなることを特徴とするものであり、又、請求項３記載の発明は、上記空気攪拌機構として、上記除菌処理部の下部体に該除菌処理部内に圧縮空気を渦巻状に上方に向けて噴射可能な複数個の噴出穴部が形成され、上記上部体に該除菌処理部内の圧縮空気を吸引排出可能な吸引部が形成されてなることを特徴とするものであり、又、請求項４記載の発明は、上記空気攪拌機構として、上記上部体に上記除菌処理部内に圧縮空気を下方に向けて噴射可能な噴射ノズル部が配設されてなることを特徴とするものである。
【０００７】
又、請求項５記載の発明は、上記処理筒体の上開口部を開閉可能な供給蓋体を配設してなることを特徴とするものであり、又、請求項６記載の発明は、上記処理筒体の下開口部を開閉可能な取出蓋体を配設してなることを特徴とするものである。
【発明の効果】
【０００８】
本発明は上述の如く、請求項１記載の発明にあっては、ケーキや菓子等の食品に差し込んで使用される差札を人為的又は自動的に除菌処理部内に収容し、空気攪拌機構により除菌処理部内に圧縮空気を噴射し、圧縮空気により除菌処理部内の複数個の差札は攪拌され、除菌処理部の側方位置の除菌ランプにより差札の表面は除菌処理され、除菌処理部内の除菌処理後の差札を取り出すことになり、したがって、差札を衛生的な状態で使用することができ、使用の安全性を高めることができ、空気攪拌機構により除菌処理部内に圧縮空気を噴射して除菌処理部内の複数個の差札を攪拌した状態で除菌ランプにより除菌処理を行うことができ、差札の除菌処理を確実かつ容易に行うことができる。
【０００９】
又、請求項２記載の発明にあっては、上記除菌処理部は、上記除菌ランプからの照射光が透過可能な処理筒体、処理筒体の上開口部に配設された上部体、及び、処理筒体の下開口部に配設された下部体からなり、処理筒体、上部体及び下部体により除菌処理室が形成されてなるから、除菌処理部の構造を簡素化することができ、又、請求項３記載の発明にあっては、上記空気攪拌機構として、上記除菌処理部の下部体に上記除菌処理部内に圧縮空気を渦巻状に上方に向けて噴射可能な複数個の噴出穴部が形成され、上記上部体に除菌処理部内の圧縮空気を吸引排出可能な吸引部が形成されているから、除菌処理部内の複数個の差札を確実に攪拌することができ、差札の除菌処理を確実に行うことができ、又、請求項４記載の発明にあっては、上記空気攪拌機構として、上記上部体に上記除菌処理部内に圧縮空気を下方に向けて噴射可能な噴射ノズル部が配設されてなるから、除菌処理部内の複数個の差札を確実に攪拌することができ、差札の除菌処理を確実に行うことができる。
【００１０】
又、請求項５記載の発明にあっては、上記処理筒体の上開口部を開閉可能な供給蓋体を配設してなるから、処理筒体内への差札の投入、並びに、処理筒体の上開口部の閉口を容易に行うことができ、又、請求項６記載の発明にあっては、上記処理筒体の下開口部を開閉可能な取出蓋体を配設しているから、処理筒体内の除菌処理後の差札の取出し、並びに、処理筒体の下開口部の閉口を容易に行うことができ、除菌作業性を向上することができる。
【図面の簡単な説明】
【００１１】
【図１】本発明の実施の形態例の説明側断面図である。
【図２】本発明の実施の形態例の説明平断面図である。
【図３】本発明の実施の形態例の部分正面図である。
【図４】本発明の実施の形態例の部分断面図である。
【図５】本発明の実施の形態例の部分平断面図である。
【図６】本発明の実施の形態例の説明部分側断面図である。
【図７】本発明の実施の形態例の説明部分側断面図である。
【図８】本発明の実施の形態例の差札の正面図である。
【図９】本発明の実施の形態例の差札の使用状態図である。
【発明を実施するための形態】
【００１２】
図１乃至図９は本発明の実施の形態例を示し、Ｆは差札であって、この場合、図８、図９の如く、ケーキや菓子等の食品Ｗに差されて食品Ｗに直接触れる状態で使用される丸形の差札Ｆに形成され、合成樹脂材、紙材等の各種の材質からなり、その表面には文字、図形、模様若しくは色彩又はこれらの結合からなる表示が印刷され、差札Ｆに食品Ｗへの差込部分Ｆａが形成されている。
【００１３】
この場合、図１、図２の如く、大別して、上記差札Ｆを収容取出可能な除菌処理部１と、除菌処理部１の側方位置に配設され、除菌処理部１内の差札Ｆを除菌処理する除菌ランプ２と、除菌処理部１内に圧縮空気Ｅを噴射して除菌処理部１内の複数個の差札Ｆ・・を攪拌可能な空気攪拌機構３とにより構成されている。
【００１４】
又、この場合、上記除菌処理部１は、図１、図２の如く、上記除菌ランプ２からの照射光Ｒ・・が透過可能な処理筒体４、処理筒体４の上開口部ＫＵに配設された上部体５、及び、処理筒体４の下開口部ＫＤに配設された下部体６からなり、処理筒体４、上部体５及び下部体６により除菌処理室Ｓが形成され、この場合、処理筒体４は照射光Ｒ・・が透過可能な石英ガラスにより製作され、又、上記除菌ランプ２は、紫外線としての照射光Ｒ・・を照射する直管型蛍光ランプが使用されている。
【００１５】
又、この場合、上記空気攪拌機構３として、図１、図２の如く、上記除菌処理部１の下部体６に上記除菌処理部１内の上記除菌処理室Ｓに圧縮空気Ｅを渦巻状に上方に向けて噴射可能な複数個の噴出穴部６ａ・・が形成され、下部体６に噴出穴部６ａ・・に連通する環状穴部６ｂを形成し、環状穴部６ｂに図外の圧縮空気源に接続された接続継手６ｃが連通され、図外の圧縮空気源から接続継手６ｃ及び環状穴部６ｂを経て噴出穴部６ａ・・から圧縮空気Ｅを噴射するように構成され、又、上記上部体５に上記除菌処理部１内の除菌処理室Ｓの圧縮空気Ｅを吸引排出可能な吸引部７が形成され、さらに、上記空気攪拌機構３として、上記上部体５に上記除菌処理部１内に圧縮空気Ｅを下方に向けて噴射可能な噴射ノズル部８が配設されている。
【００１６】
この場合、図１の如く、上記処理筒体４の上開口部ＫＵを開閉可能な供給蓋体９が配設され、上記処理筒体４の下開口部ＫＤを開閉可能な取出蓋体１０を配設して構成され、供給蓋体９に吸引部７としての吸引室７ａが形成され、供給蓋体９に図外の負圧空気源に接続された接続継手７ｂが取り付けられ、上記除菌処理部１内の除菌処理室Ｓの圧縮空気Ｅを吸引室７ａを介して吸引排出するように構成している。
【００１７】
この場合、図１の如く、上記供給蓋体９は上アーム９ａを介して上支点軸９ｂに上下揺動自在に設けられ、供給蓋体９は上アーム９ａを介して図示省略のシリンダ機構により上支点軸９ｂを中心として上下揺動々作し、供給蓋体９に空気中の塵埃等を除去して排出する清浄フィルタ９ｃが設けられ、図１中の想像線で示す供給蓋体９の退避位置において、上記除菌処理室Ｓ内に上開口部ＫＵを介して複数個の差札Ｆ・・が投入され、図１中の実線で示す供給蓋体９の装着位置において、上記処理筒体４の上開口部ＫＵを閉口するように構成されている。
【００１８】
又、この場合、図５、図６の如く、機体ＤにブラケットＤ１を取付け、上記取出蓋体１０は下アーム１０ａを介してブラケットＤ１の下支点軸１０ｂに上下揺動自在に設け、取出蓋体１０は下アーム１０ａを介して図示省略のシリンダ機構により下支点軸１０ｂを中心として上下揺動々作し、図１中の実線で示す取出蓋体１０の装着位置において、処理筒体４の下開口部ＫＤを閉口し、除菌処理後、圧縮空気Ｅの噴射を停止し、図１中の想像線で示す取出蓋体１０の退避位置において、図７の実線位置の如く、除菌処理室Ｓ内の複数個の差札Ｆ・・が取出蓋体１０により受箱Ｂに落送取出しするように構成している。
【００１９】
又、この場合、図５、図６の如く、上記取出蓋体１０に圧縮空気Ｅを噴射可能なノズル部１０ｃが形成され、ノズル部１０ｃから圧縮空気Ｅが間欠的又は連続的に噴射するように構成されている。
【００２０】
又、上記噴射ノズル部８は、この場合、図１、図２、図３、図４の如く、上部体５に噴射管８ａを除菌処理部１内に斜設し、噴射管８ａの先端部にノズル頭部８ｂを取付け、ノズル頭部８ｂに下方に向かうノズル穴部８ｃ・８ｃ、この場合、処理筒体４の内面に向けて斜め下方に向かうノズル穴部８ｃ及び真下に向かうノズル穴部８ｃの２個のノズル穴部８ｃ・８ｃが形成され、上部体５に噴射管８ａに図外の圧縮空気源を接続してノズル頭部８ｂのノズル穴部８ｃ・８ｃから圧縮空気Ｅを上記除菌処理部１内に下方に向けて噴射可能な噴射ノズル部８が配設されている。
【００２１】
この実施の形態例は上記構成であるから、図１の如く、ケーキや菓子等の食品Ｗに差し込んで使用される差札Ｆを人為的又は自動的に除菌処理部１内に収容し、空気攪拌機構３により除菌処理部１内に圧縮空気Ｅを噴射し、圧縮空気Ｅにより除菌処理部１内の複数個の差札Ｆ・・は攪拌され、除菌処理部１の側方位置の除菌ランプ２により差札Ｆの表面は除菌処理され、除菌処理部１内の除菌処理後の差札Ｆを取り出すことになり、したがって、差札Ｆを衛生的な状態で使用することができ、使用の安全性を高めることができ、空気攪拌機構３により除菌処理部１内に圧縮空気Ｅを噴射して除菌処理部１内の複数個の差札Ｆ・・を攪拌した状態で除菌ランプ２により除菌処理を行うことができ、差札Ｆの除菌処理を確実かつ容易に行うことができる。
【００２２】
又、この場合、上記除菌処理部１は、図１の如く、上記除菌ランプ２からの照射光Ｒが透過可能な処理筒体４、処理筒体４の上開口部ＫＵに配設された上部体５、及び、処理筒体４の下開口部ＫＤに配設された下部体６からなり、処理筒体４、上部体５及び下部体６により除菌処理室Ｓが形成されてなるから、除菌処理部１の構造を簡素化することができ、又、この場合、図１、図２の如く、上記空気攪拌機構３として、上記除菌処理部１の下部体６に上記除菌処理部１内の除菌処理室Ｓに圧縮空気Ｅを渦巻状に上方に向けて噴射可能な複数個の噴出穴部６ａ・・が形成され、上記上部体５に除菌処理部１内の除菌処理室Ｓ内の圧縮空気Ｅを吸引排出可能な吸引部７が形成されているから、除菌処理部１内の複数個の差札Ｆ・・を確実に攪拌することができ、差札Ｆの除菌処理を確実に行うことができ、又、この場合、図１、図２の如く、上記空気攪拌機構３として、上記上部体５に上記除菌処理部１内に圧縮空気Ｅを下方に向けて噴射可能な噴射ノズル部８が配設されてなるから、除菌処理部１内の複数個の差札Ｆ・・を確実に攪拌することができ、差札Ｆの除菌処理を確実に行うことができる。
【００２３】
又、この場合、図１、図２の如く、上記処理筒体４の上開口部ＫＵを開閉可能な供給蓋体９を配設してなるから、処理筒体４内への差札Ｆの投入、並びに、処理筒体４の上開口部ＫＵの閉口を容易に行うことができ、又、この場合、図６、図７の如く、上記処理筒体４の下開口部ＫＤを開閉可能な取出蓋体１０を配設しているから、処理筒体４内の除菌処理後の差札Ｆの落送取出し、並びに、処理筒体４の下開口部ＫＤの閉口を容易に行うことができ、除菌作業性を向上することができる。
【００２４】
尚、本発明は上記実施の形態例に限られるものではなく、差札Ｆ、食品Ｗ、除菌処理室Ｓ、除菌処理部１、除菌ランプ２、空気攪拌機構３、処理筒体４、上部体５、下部体６、噴出穴部６ａ、吸引部７、噴射ノズル部８、供給蓋体９、取出蓋体１０の形態等は適宜変更して設計されるものである。
【００２５】
以上、所期の目的を充分達成することができる。
【符号の説明】
【００２６】
Ｆ    差札
Ｗ    食品
Ｅ    圧縮空気
Ｒ    照射光
ＫＵ    上開口部
ＫＤ    下開口部
Ｓ    除菌処理室
１    除菌処理部
２    除菌ランプ
３    空気攪拌機構
４    処理筒体
５    上部体
６    下部体
６ａ    噴出穴部
７    吸引部
８    噴射ノズル部
９    供給蓋体
１０    取出蓋体
【図１】
0006899881.tif 000002
【図２】
0006899881.tif 000003
【図３】
0006899881.tif 000004
【図４】
0006899881.tif 000005
【図５】
0006899881.tif 000006
【図６】
0006899881.tif 000007
【図７】
0006899881.tif 000008
【図８】
0006899881.tif 000009
【図９】
0006899881.tif 000010